(57)【要約】      （修正有）【課題】スカートガードの適切な部位に対する潤滑剤の塗布ができ、塗布作業に係る運搬作業が簡単にできる乗客コンベアの欄干保守装置を提供する。【解決手段】ステップのデマケーションクリート６に設けられ、このデマケーションクリート６を貫通し、スカートガード３に対向する開口端を有するスリット６Ａ，６Ｂと、これらのスリット６Ａ，６Ｂに対して挿脱可能に設けられ、潤滑剤を噴射する噴射孔５Ｂと、潤滑剤が注入される注入孔５Ａと、噴射孔５Ｂと注入孔５Ａとを連通させる通路５Ｃとを有する容器収納ホルダ５と、この容器収納ホルダ５に着脱可能に設けられ、潤滑剤が収納され、容器収納ホルダ５の注入孔５Ａに挿入される噴出ノズル４Ａを有する潤滑剤収納容器４とを備えた。【選択図】図２
2011131955.tif 000002
【特許請求の範囲】
【請求項１】
ステップに近接して立設された欄干の底部に位置するスカートガードに、潤滑剤を塗布する際に用いられる乗客コンベアの欄干保守装置において、
前記ステップのデマケーションクリートに設けられ、このデマケーションクリートを貫通し、前記スカートガードに対向する開口端を有するスリットと、
このスリットに対して挿脱可能に設けられ、前記潤滑剤を噴射する噴射孔と、前記潤滑剤が注入される注入孔と、前記噴射孔と前記注入孔とを連通させる通路とを有する容器収納ホルダと、
この容器収納ホルダに着脱可能に設けられ、前記潤滑剤が収納され、前記容器収納ホルダの前記注入孔に挿入される噴出ノズルを有する潤滑剤収納容器とを備えたことを特徴とする乗客コンベアの欄干保守装置。
【請求項２】
請求項１に記載の乗客コンベアの欄干保守装置において、
前記潤滑剤収納容器は、前記噴射ノズルが下端に設けられる口金を有し、
前記容器収納ホルダは、前記潤滑剤収納容器の前記口金が挿入される穴を有し、
潤滑剤収納容器の前記口金が前記容器収納ホルダの前記穴に挿入された状態で、前記口金を前記穴に対して離脱可能に固定する容器固定手段を備えたことを特徴とする乗客コンベアの欄干保守装置。
【請求項３】
請求項２に記載の乗客コンベアの欄干保守装置において、
前記容器固定手段は、前記潤滑剤収納容器の前記口金の外周部分に形成したねじ部と、前記容器収納ホルダの前記穴の内周部分に形成され、前記ねじ部に螺合するねじ部とから成ることを特徴とする乗客コンベアの欄干保守装置。
【請求項４】
請求項１〜３のいずれか１項に記載の乗客コンベアの欄干保守装置において、
前記容器収納ホルダを、前記デマケーションクリート部分に収納可能な形状寸法に設定したことを特徴とする乗客コンベアの欄干保守装置。
【請求項５】
請求項４に記載の乗客コンベアの欄干保守装置において、
前記容器収納ホルダを前記デマケーションクリート部分に離脱可能に固定するホルダ固定手段を備えたことを特徴とする乗客コンベアの欄干保守装置。
【発明の詳細な説明】
【技術分野】
【０００１】
本発明は、エスカレータ等の乗客コンベアの欄干の底部に設けられたスカートガードに潤滑剤を塗布する際に活用される乗客コンベアの欄干保守装置に関する。
【背景技術】
【０００２】
エスカレータ等の乗客コンベアにあっては、乗客が安全に利用できるようにするために様々な保守作業が実施されている。その一つとして、乗客が乗るステップの側方に近接して立設される欄干の底部に設けられたスカートガードに、シリコーンオイルなどから成る潤滑剤を定期的に塗布し、スカートガードとステップとの隙間に乗客の靴などが挟まれないようにしている。通常、この潤滑剤の塗布作業に際しては、作業者が運転中の乗客コンベアのステップに乗り、スプレー缶などを用いて潤滑剤を塗布することが行なわれている。ところがこの塗布作業中、スプレー缶は広範囲に潤滑剤を噴射してしまうので、走行しているステップの側方に対向するスカートガードの適切な部位に潤滑剤を塗布することは難しかった。
【０００３】
しかしながら、ステップの側方に対向するスカートガードに潤滑剤を塗布しなければ、前述したように乗客の靴等が挟まれる懸念がある。また、ステップの側方に対向するスカートガード以外の部分、例えばステップの踏面等に潤滑剤が塗布されてしまうと、ステップ上の乗客が潤滑剤のために滑って転倒することが懸念される。このようなことから、スカートガードの適切な部位に潤滑剤を塗布することは乗客の安全上、重要な保守作業となっていた。
【０００４】
そこで従来、ステップのスカートガードの側端面に位置する踏面部に、潤滑剤を塗布する塗布部を設置し、この塗布部に連結された注入管を介して潤滑剤を注入するように構成し、スカートガードの適切な部位への潤滑剤の塗布を実現させた潤滑剤塗布装置が提案されている（特許文献１，２参照。）。
【先行技術文献】
【特許文献】
【０００５】
【特許文献１】特開平１０−１５７９６４号公報
【特許文献２】実開昭６１−０２５３７４号公報
【発明の概要】
【発明が解決しようとする課題】
【０００６】
前述した従来の潤滑剤塗布装置のそれぞれは、スカートガードの適切な部位に対する潤滑剤の塗布を実現できるものの、この潤滑剤の塗布作業のための専用の装置一式を塗布作業の現場まで運ばなければならない煩雑な運搬作業が必要であった。このために、潤滑剤の塗布作業を行なう作業者の負担が大きくなる不具合があった。
【０００７】
本発明は、前述した従来技術における実状からなされたもので、その目的は、スカートガードの適切な部位に対する潤滑剤の塗布を実現できるとともに、潤滑剤の塗布作業に係る運搬作業を簡単に行なうことができる乗客コンベアの欄干保守装置を提供することにある。
【課題を解決するための手段】
【０００８】
前記目的を達成するために、本発明に係る乗客コンベアの欄干保守装置は、ステップに近接して立設された欄干の底部に位置するスカートガードに、潤滑剤を塗布する際に用いられる乗客コンベアの欄干保守装置において、前記ステップのデマケーションクリートに設けられ、このデマケーションクリートを貫通し、前記スカートガードに対向する開口端を有するスリットと、このスリットに対して挿脱可能に設けられ、前記潤滑剤を噴射する噴射孔と、前記潤滑剤が注入される注入孔と、前記噴射孔と前記注入孔とを連通させる通路とを有する容器収納ホルダと、この容器収納ホルダに着脱可能に設けられ、前記潤滑剤が収納され、前記容器収納ホルダの前記注入孔に挿入される噴出ノズルを有する潤滑剤収納容器とを備えたことを特徴としている。
【０００９】
このように構成した本発明は、スカートガードに対する潤滑剤の塗布作業に際しては、容器収納ホルダをデマケーションクリートに設けたスリットに挿入し、この容器収納ホルドの噴射孔をスリットの開口端を介してスカートガードの適切な部位に対向するように位置させた状態にし、潤滑剤収納容器の噴出ノズルを容器収納ホルダの注入孔に挿入するようにして、容器収納ホルダに潤滑剤収納容器を装着させればよい。この状態で乗客コンベアを運転し、ステップがスカートガードに沿うように走行すると、潤滑剤収納容器に収納されている潤滑剤が噴出ノズルから容器収納ホルダの注入孔に供給され、さらに容器収納ホルダの通路を経て噴射孔からスカードガードの適切な部位に向かって噴射される。これによって、スカートガードの適切な部位に潤滑剤を塗布することができる。この潤滑剤の塗布作業の終了後は、容器収納ホルダから潤滑剤収納容器を離脱させ、容器収納ホルダをデマケーションクリートのスリットから引き抜くことが行なわれる。
【００１０】
本発明は、デマケーションクリートに形成したスリットに挿脱可能に設けられる容器収納ホルダと、潤滑剤が収納される潤滑剤収納容器とを互いに着脱可能に設けたことから、潤滑剤の非塗布時には容器収納ホルダを当該乗客コンベアの塗布作業の現場に近い場所等に予め収納しておき、潤滑剤の塗布作業時には作業者が作業現場へ潤滑剤収納容器のみを持参すればよい。また、潤滑剤の塗布作業の終了後には、容器収納ホルダから潤滑剤収納容器を離脱させ、容器収納ホルダは乗客コンベアの塗布作業の現場に近い場所等に再び収納し、潤滑剤収納容器のみを持ち帰ればよい。したがって、作業者が運搬するのは潤滑剤収納容器のみで済む。このように本発明によれば、スカートガードの適切な部位に対する潤滑剤の塗布を実現させることができるとともに、潤滑剤の塗布作業に係る運搬作業を簡単に行なうことができる。
【００１１】
また、本発明に係る乗客コンベアの欄干保守装置は、前記発明において、前記潤滑剤収納容器は、前記噴射ノズルが下端に設けられる口金を有し、前記容器収納ホルダは、前記潤滑剤収納容器の前記口金が挿入される穴を有し、潤滑剤収納容器の前記口金が前記容器収納ホルダの前記穴に挿入された状態で、前記口金を前記穴に対して離脱可能に固定する容器固定手段を備えたことを特徴としている。
【００１２】
このように構成した本発明は、スカートガードに対する潤滑剤の塗布作業の間、容器固定手段によって潤滑剤収納容器を容器収納ホルダにしっかりと固定することができる。これにより、ステップの走行に伴って容器収納ホルダ及び潤滑剤収納容器に振動が伝えられても、潤滑剤収納容器を容器収納ホルダからの離脱を生じさせることなく安定して保つことができる。
【００１３】
また、本発明に係る乗客コンベアの欄干保守装置は、前記発明において、前記容器固定手段は、前記潤滑剤収納容器の前記口金の外周部分に形成したねじ部と、前記容器収納ホルダの前記穴の内周部分に形成され、前記ねじ部に螺合するねじ部とから成ることを特徴としている。
【００１４】
このように構成した本発明は、潤滑剤収納容器の口金に形成したねじ部と、容器収納ホルダの穴のねじ部とを係合させて潤滑剤収納容器を回転させるだけで、容易にこの潤滑剤収納容器を容器収納ホルダに対して着脱させることができる。
【００１５】
また、本発明に係る乗客コンベアの欄干保守装置は、前記発明において、前記容器収納ホルダを、前記デマケーションクリート部分に収納可能な形状寸法に設定したことを特徴としている。
【００１６】
このように構成した本発明は、潤滑剤の非塗布時には、スカートガードの近傍に位置するデマケーションクリート部分に容器収納ホルダを収納させておき、潤滑剤の塗布時に容器収納ホルダをデマケーションクリート部分から取り出して、デマケーションクリートに設けたスリットに挿入すればよい。すなわち、非塗布時における容器収納ホルダが収納される場所と、塗布時における容量収納ホルダが設置される場所とを接近させることができるので、潤滑剤の塗布時における容器収納ホルダのデマケーションクリートのスリットへの設置を容易に行なうことができる。
【００１７】
また、本発明に係る乗客コンベアの欄干保守装置は、前記発明において、前記容器収納ホルダを前記デマケーションクリート部分に離脱可能に固定するホルダ固定手段を備えたことを特徴としている。
【００１８】
このように構成した本発明は、潤滑剤の非塗布時におけるステップの走行に際して、ホルダ固定手段によって容器収納ホルダをデマケーション部分に安定して保持させることができる。
【発明の効果】
【００１９】
本発明は、ステップのデマケーションクリートに設けられ、このデマケーションクリートを貫通し、スカートガードに対向する開口端を有するスリットと、このスリットに対して挿脱可能に設けられ、潤滑剤を噴射する噴射孔と、潤滑剤が注入される注入孔と、噴射孔と注入孔とを連通させる通路とを有する容器収納ホルダと、この容器収納ホルダに着脱可能に設けられ、潤滑剤が収納され、容器収納ホルダの注入孔に挿入される噴出ノズルを有する潤滑剤収納容器とを備えたことから、潤滑剤の塗布作業時には、容器収納ホルダをデマケーションクリートに設けたスリットに挿入し、この容器収納ホルダに潤滑剤収納容器を装着させることにより、潤滑剤収納容器内の潤滑剤をスカートガードの適切な部位に向かって噴射して、このスカートガードの適切な部位に対する潤滑剤の塗布を実現させることができる。また、潤滑剤の非塗布時には、容器収納ホルダを作業現場に近い場所等に収納させておくことができ、潤滑剤の塗布作業に際しては、潤滑剤収納容器のみを持参すればよく、潤滑剤の塗布作業に係る運搬作業を簡単に行なうことができる。これにより、このスカートガードに対する潤滑油の塗布作業に伴う作業者の負担を、従来に比べて軽減させることができる。
【図面の簡単な説明】
【００２０】
【図１】本発明に係る欄干保守装置の一実施形態が配置される乗客コンベアのステップを示す要部正面図である。
【図２】本実施形態に係る欄干保守装置を示す側面図である。
【図３】本実施形態に係る欄干保守装置を示す斜視図である。
【図４】本実施形態に係る欄干保守装置に備えられる容器収納ホルダの潤滑剤の非塗布時の配置形態を示す平面図である。
【図５】本実施形態に係る欄干保守装置に備えられる容器収納ホルダの潤滑剤の塗布時の配置形態を示す平面図である。
【発明を実施するための形態】
【００２１】
以下、本発明に係る乗客コンベアの欄干保守装置の実施の形態を図に基づいて説明する。
【００２２】
図１は本発明に係る欄干保守装置の一実施形態が配置される乗客コンベアのステップを示す要部正面図、図２は本実施形態に係る欄干保守装置を示す側面図、図３は本実施形態に係る欄干保守装置を示す斜視図である。図４は本実施形態に係る欄干保守装置に備えられる容器収納ホルダの潤滑剤の非塗布時の配置形態を示す平面図、図５は本実施形態に係る欄干保守装置に備えられる容器収納ホルダの潤滑剤の塗布時の配置形態を示す平面図である。
【００２３】
本実施形態に係る欄干保守装置が適用される乗客コンベアは、例えばエスカレータであり、図１に示すように、乗客が乗るステップ１を備えている。このステップ１には凹凸部を形成するクリート２が設けられている。ステップ１の側端部の付近には、所定の隙間を介してスカートガード３が設けられている。このスカートガード３は図示しない欄干の底部を形成している。このエスカレータの運転時には、ステップ１はスカートガード３に沿うように走行する。スカートガード３に対向するように位置するステップ１の端部には、クリート２に比べて突出寸法が大きく設定されたデマケーションクリート６が形成されている。なお、図示しない欄干上には、ステップ１の走行と同期して移動する無端状の移動手摺が配置されている。
【００２４】
本実施形態に係る欄干保守装置は、スカートガード３に潤滑剤を塗布する際に活用されるものである。この本実施形態は、同図１に示すように、ステップ１のデマケーションクリート６に設けられ、このデマケーションクリート６を貫通し、スカートガード３に対向する開口端を有するスリット６Ａと、このスリット６Ａと同径、同軸に形成されてスリット６Ａに対向して配置され、デマケーションクリート６を貫通するスリット６Ｂとを備えている。
【００２５】
また、図２，３に示すように、本実施形態に係る欄干保守装置は、デマケーションクリート６のスリット６Ａ，６Ｂに挿脱可能に設けられる容器収納ホルダ５と、この容器収納ホルダ５に着脱可能に設けられ、潤滑剤が収納される潤滑剤収納容器４とを備えている。
【００２６】
前述した容器収納ホルダ５は、同図２に示すように、潤滑剤を噴射する噴射孔５Ｂと、潤滑剤が注入される注入孔５Ａと、これらの噴射孔５Ｂと注入孔５Ａとを連通させる通路５Ｃとを有している。注入孔５Ａの付近には上方に開放された穴５Ｅを形成してあり、この穴５Ｅの内周部分にはねじ部５Ｄを形成してある。
【００２７】
この容器収納ホルダ５は、図４に示すように、例えばデマケーションクリート６部分の溝部に収納可能な形状寸法に設定してある。また、デマケーションクリート６部分には、図３に示すように、上下方向に延設されて伸縮可能な突起６Ｃを設けてあり、容器収納ホルダ５には、図４等に示すように、突起６Ｃを伸長させた際にこの突起６Ｃが挿入する穴５Ｆを形成してある。
【００２８】
これらの突起６Ｃ及び穴５Ｆは、デマケーションクリート６部分に収納された容器収納ホルダ５を離脱可能に固定するホルダ固定手段を構成している。
【００２９】
前述した潤滑剤収納容器４は、容器収納ホルダ５の注入孔５Ａに挿入される噴出ノズル４Ａが下端に設けられ、容器収納ホルダ５に設けた穴５Ｅに収納される口金４Ｂを備えている。この口金４Ｂの外周部分には、容器収納ホルダ５の穴５ｅの内周部分に形成したねじ部５ｄと螺合するねじ部４Ｂ１を形成してある。この潤滑剤収納容器４は、図示しない乗降口に配置されたコームプレートよりも剛性の低い材質から成っている。例えば、コームプレートがポリカーボネート樹脂で製作されている場合には、潤滑剤収納容器５は一般グレードのポリプロピレン樹脂等によって製作される。
【００３０】
前述した容器収納ホルダ５の穴５Ｅの内周部分に形成したねじ部５Ｄと、潤滑剤収納容器４の口金４Ｂの外周部分に形成したねじ部４Ｂ１は、潤滑剤収納容器４の口金４Ｂが容器収納ホルダ５の穴５Ｅに挿入された状態で、口金４Ｂを穴５Ｅに対して離脱可能に固定する容器固定手段を構成している。
【００３１】
このように構成した本実施形態は、スカートガード３に対する潤滑剤の塗布作業に際して、塗布作業現場まで潤滑剤収納容器４を持参した作業者は、停止しているステップ１に乗り、図４に示すようにデマケーションクリート６部分に収納され、図３に示す突起６Ｃによって固定されている容器収納ホルダ５を、突起６Ｃを収縮させ容器収納ホルダ５の穴５Ｆから離脱させることによって、容器収納ホルダ５をデマケーションクリート６の収納部分から取り出す。図５に示すように、この取り出された容器収納ホルダ５をデマケーションクリート６に形成したスリット６Ａ，６Ｂに挿入し、容器収納ホルダ５の噴射孔５Ｂをスリット６Ａの開口端を介してスカートガード３の適切な部位に対向させるように位置させる。
【００３２】
そして作業者は、塗布作業現場まで持参した潤滑剤収納容器４の口金４Ｂのねじ部４Ｂ１を容器収納ホルダ５の穴５Ｅのねじ部５Ｄに係合させて、潤滑剤収納容器４を時計回りに回転させながら押し下げる。これにより、潤滑剤収納容器４が下降し、口金４Ｂに設けた噴出ノズル４Ａが容器収納ホルダ５の注入孔５Ａ内に挿入される。なお、この場合、潤滑剤収納容器４の回転に伴って噴出ノズル４Ａ部分に押圧力が加えられると、この噴出ノズル４Ａが開口して注入孔５Ａへの潤滑剤の供給が可能となる。以上のようにして、容器収納ホルダ５に対して潤滑油収納容器４の装着作業が行なわれる。
【００３３】
このようにデマケーションクリート６のスリット６Ａ，６Ｂに容器収納ホルダ５を挿入し、容器収納ホルダ５に潤滑剤収納容器４を装着した状態で、当該エスカレータを運転することにより、ステップ１がスカートガード３に沿って走行する。この間、潤滑剤収納容器４に収納されている潤滑剤が噴出ノズル４Ａから容器収納ホルダ５の注入孔５Ａに供給され、さらに通路５Ｃを経て噴射孔５Ｂからスカードガード３の適切な部位に向かって噴射される。このようにしてスカートガード３の適切な部位に潤滑剤が塗布される。この潤滑剤の塗布作業の間、ステップ１に乗っている作業者は、容器収納ホルダ５の噴射孔５Ｂからスカートガード３の適切な部位に向かって噴射されている潤滑剤の状態を、ステップ１を走行させながら観察することができる。
【００３４】
潤滑剤の塗布作業の終了後は、潤滑剤収納容器４を前述とは逆の反時計回りに回転させることにより、容器収納ホルダ５から潤滑剤収納容器４が離脱する。また、容器収納ホルダ５がデマケーションクリート６のスリット６Ａ，６Ｂから抜き取られ、この容器収納ホルダ５は、例えば次回の塗布作業までデマケーションクリート６部分に再び収納される。
【００３５】
以上のように構成した本実施形態によれば、デマケーションクリート６に形成したスリット６Ａ，６Ｂに挿脱可能に設けられる容器収納ホルダ５と、潤滑剤が収納される潤滑剤収納容器４とを互いに着脱可能に設けたことから、潤滑剤の非塗布時には、容器収納ホルダ５を前述したようにデマケーションクリート６部分に収納させておくことができる。このように容器収納ホルダ５をデマケーションクリート６部分に収納させた状態にあっては、デマケーションクリート６の有する機能を確実に維持させることができ、何らの支障を生じることがない。
【００３６】
そして、潤滑剤の塗布時には、作業者が作業現場へ潤滑剤収納容器４のみを持参し、作業開始に際して、前述したように潤滑剤収納容器４を容器収納ホルダ５に装着し、ステップ１を走行させてスカートガード３の塗布作業を行えばよい。また、潤滑剤塗布作業の終了後には、前述したように潤滑剤収納容器４を容器収納ホルダ５から外し、この容器収納ホルダ５を再びデマケーションクリート６部分に収納させ、潤滑剤収納容器４のみを持ち帰ればよい。したがって、作業者が運搬するのは、潤滑剤収納容器４だけで済む。すなわち本実施形態によれば、スカートガード３の適切な部位への潤滑剤の塗布を実現できるとともに、潤滑剤の塗布作業に際しての運搬作業を、潤滑剤収納容器４のみを運搬すれば済む簡単な運搬作業とすることができる。これにより、スカートガード３に対する潤滑剤の塗布作業に伴う作業者の負担を軽減させることができる。
【００３７】
また、スカートガード３に対する潤滑剤の塗布作業の間、潤滑剤収納容器４の口金４Ｂに形成したねじ部４Ｂ１と、容器収納ホルダ５の穴５Ｅに形成したねじ部５Ｄとから成る容器固定手段によって、潤滑剤収納容器４を容器収納ホルダ５にしっかりと固定することができる。これにより、ステップ１の走行に伴って容器収納ホルダ５及び潤滑剤収納容器４に振動が伝えられたとしても、潤滑剤収納容器４を容器収納ホルダ５に対して弛みを生じることなく安定して保つことができ、精度の高い潤滑剤塗布性能を確保することができる。
【００３８】
また、前述のように、潤滑剤収納容器４と容器収納ホルダ５とをねじ部４Ｂ１とねじ部５Ｄとの螺合を介して固定させるようにしたことから、潤滑剤収納容器４を回転させるだけで容易に、この潤滑剤収納容器４を容器収納ホルダ５に対して着脱させることができ、スカートガード３に潤滑剤を塗布する作業の能率向上に貢献する。
【００３９】
また、前述のように潤滑剤収納容器４を回転させるだけで、この潤滑剤収納容器４の噴出ノズル４Ａを容器収納ホルダ５の注入孔５Ａに挿入させることができるので、噴出ノズル４Ａを注入孔５Ａに適合させる位置決め作業を要することがなく、この点でも塗布作業の能率向上に貢献する。
【００４０】
また、潤滑剤の非塗布時には、スカートガード３の近傍に位置するデマケーションクリート６部分に容器収納ホルダ５を収納させておき、潤滑剤の塗布時には容器収納ホルダ５をデマケーションクリート６部分から取り出して塗布作業を行なえばよいので、非塗布時における容器収納ホルダ５が収納される場所と、塗布時における容器収納ホルダ５が設置される場所とを接近させることができる。これによって、潤滑剤の塗布時における容器収納ホルダ５のデマケーションクリート６のスリット６Ａ，６Ｂへの設置を容易に行なうことができる。このことも塗布作業の能率向上に貢献する。
【００４１】
また、潤滑剤の非塗布時におけるステップ１の走行に際しては、デマケーションクリート６部分に設けた突起６Ｃと、容器収納ホルダ５Ａに設けた穴５Ｆとから成るホルダ固定手段によって、容器収納ホルダ５Ａをデマケーションクリート６部分に安定して保持させることができる。これにより、デマケーションクリート６部分から容器収納ホルダ５Ａが飛び出すことがなく、デマケーションクリート６の有する機能をより確実に維持できる。
【００４２】
なお、潤滑剤収納容器５の材質を、乗降口に設けられた図示しないコームプレートの材質よりも剛性が低くなるように選定してあることから、ステップ１上の作業者が潤滑剤収納容器４を容器収納ホルダ５から外し忘れて、ステップ１の走行に伴って潤滑剤収納容器４が図示しないコームプレートに衝突することがあっても、コームプレートの破損を防ぐことができる。
【００４３】
なお、前述した実施形態にあっては、容器収納ホルダ５の形状寸法をデマケーションクリート６部分に収納可能に設定し、潤滑剤の非塗布時に容器収納ホルダ５をデマケーションクリート６部分に収納するようにしたが、本発明は、容器収納ホルダ５の形状寸法を前述のように設定することには限定されず、また、潤滑剤の非塗布時に、容器収納ホルダ５をデマケーションクリート６部分に収納することには限られない。すなわち、潤滑剤の非塗布時には、潤滑剤が塗布されるスカートガード３の付近のデマケーションクリート６部分とは異なる所定の場所等に、容器収納ホルダ５を収納させるようにしてもよい。
【００４４】
また、潤滑剤収納容器４の口金４Ｂを容器収納ホルダ５の穴５Ｅに対して離脱可能に固定する容器固定手段を、口金４Ｂの外周部分に形成したねじ部４Ｂ１と、穴５Ｅの内周部分に形成したねじ部５Ｄとによって構成してあるが、本発明は容器固定手段をこのように構成することには限られない。潤滑剤収納容器４に与えられる押し下げ力、及び引き抜き力によって、いわゆるワンタッチで潤滑剤収納容器４が容器収納ホルダ５に嵌着、離脱される構成にしてもよい。
【符号の説明】
【００４５】
１    ステップ
２    クリート
３    スカートガード
４    潤滑剤収納容器
４Ａ  噴出ノズル
４Ｂ  口金
４Ｂ１  ねじ部（容器固定手段）
５    容器収納ホルダ
５Ａ  注入孔
５Ｂ  噴射孔
５Ｃ  通路
５Ｄ  ねじ部（容器固定手段）
５Ｅ  穴
５Ｆ  穴（ホルダ固定手段）
６    デマケーションクリート
６Ａ  スリット
６Ｂ  スリット
６Ｃ  突起（ホルダ固定手段）
【図１】
2011131955.tif 000003
【図２】
2011131955.tif 000004
【図３】
2011131955.tif 000005
【図４】
2011131955.tif 000006
【図５】
2011131955.tif 000007